(57)【要約】【課題】身体に対して湾曲させた状態で貼着した場合でも、その湾曲の外側の部分で引きつりが生じたり、内側の部分で皺が生じたりするのを抑制することができるテーピングテープを提供する。【解決手段】テーピングテープを、裏面に粘着剤を塗布した帯体２２によって構成する。帯体２２の両側縁には、ほぼ円形状の凸部２５と凹部２６とを交互に連続して形成する。【選択図】図１
2014068844.tif 000002
【特許請求の範囲】
【請求項１】
両側縁に円形状の凸部と凹部とを交互に連続して形成してなる帯体によって構成したことを特徴とするテーピングテープ。
【請求項２】
前記凸部の曲率半径を凹部の曲率半径より大きくしたことを特徴とする請求項１に記載のテーピングテープ。
【請求項３】
前記帯体が全体として直線状をなすことを特徴とする請求項１または２に記載のテーピングテープ。
【発明の詳細な説明】
【技術分野】
【０００１】
この発明は、スポーツにおける運動機能のアップや筋肉、関節の保護等のために身体に貼着して使用されるテーピングテープに関するものである。
【背景技術】
【０００２】
従来、この種のテーピングテープとしては、伸縮性の乏しい織布の帯状テープが用いられているが、このテープを身体の一部に巻着した場合には、簡単に緩みが生じて所定の巻着力や締付け力を確保することができなかった。このようなテープの緩みを防止するために、テープを身体に対して強く巻くと、関節や筋肉の動きが阻害されるとともに、血行が悪くなるというおそれがある。
【０００３】
一方、特許文献１に開示されるように、伸縮性を有するテーピングテープも知られている。このテーピングテープは帯状をなし、その裏面には粘着剤が塗布されている。
【先行技術文献】
【特許文献】
【０００４】
【特許文献１】特開平１−２１８４４６号公報
【発明の概要】
【発明が解決しようとする課題】
【０００５】
ところが、この特許文献１のテーピングテープでは、長四角形の本体の側縁にノッチが形成された形状であるため、伸縮性に乏しく、身体になじみにくい。このため、このテーピングテープを身体の形態に合わせて湾曲形状に貼着した場合、テープの幅方向の両側縁において緊張状態に差異が生じて、身体から剥離しやすくなったり、使用者が違和感を覚えたりするという問題があった。すなわち、湾曲形状に貼着されたテープにおいて、湾曲部の外側の部分では強い緊張力が作用するのに対して、湾曲部の内側の部分では緩みを生じて、場合によっては皺が発生する。そして、この緊張部分と弛緩部分との存在により、テープが身体から簡単に剥離しやすいことになった。また、緊張力と緩みとが皮膚の近接部分に同時に生じるために、不快感に近いような違和感が生じるばかりでなく、皮膚や筋肉にストレスが生じて逆効果を生じたり、血行に悪影響を与えたりするおそれもあった。さらには、皺によって使用状態のテープの外観が低下することもあった。加えて、特許文献１のテーピングテープは、前記のように伸縮性に乏しく、身体になじみにくいため、皮膚やその下部の筋膜を拘束しやすく、使用者の運動機能をアップさせる作用が充分ではない。
【０００６】
この発明は、このような従来の技術に存在する問題点に着目してなされたものであって、その目的は、身体に対して湾曲させて貼着した場合でも、体になじんで快適に使用することができるテーピングテープを提供することにある。
【課題を解決するための手段】
【０００７】
上記の目的を達成するために、本件のテーピングテープは、両側縁に円形状の凸部と凹部とを交互に連続して形成してなる帯体によって構成したことを特徴としている。
従って、このテーピングテープにおいては、身体の膝や腰等の部位に対して湾曲して貼着した場合、その湾曲部の外側の部分では各凹部が拡げられるとともに、凹部間の凸部も円形状をなしているため、伸長及び変形しやすく、内側の部分では各凹部が狭められる。このため、湾曲部の外側の部分で皮膚に引きつりが生じたり、内側の部分で皮膚が弛んだりすることを抑制することができて、テープを身体に対して皮膚を拘束することなく適切に貼着して剥離しにくくすることができる。また、皮膚の近接する２箇所に引きつりや緩みが作用することはないため、使用者に不自然な違和感や不快感が生じたり、筋肉や関節にストレスが生じたり、血行に悪影響が与えられたり、あるいは使用状態のテープの外観が低下したりすることを回避できる。従って、皮膚やその下部の筋膜の動きに柔軟に対応できて、運動機能のアップに有効である。
【０００８】
また、このテーピングテープにおいては、帯体の両側縁にほぼ円形状の凸部と凹部とが交互に連続して形成されて、帯体の両側縁が角部の存在しない連続したほぼ波形状になっている。このため、身体の皮膚に対するテープのなじみが良好になって、テープの側縁部からの剥離を抑制することができる。
【発明の効果】
【０００９】
以上のように、このテーピングテープによれば、身体に対して湾曲させた状態で貼着した場合でも、その湾曲の外側の部分で引きつりが生じたり、内側の部分で皺が生じたりすることを抑制することができて、違和感等を覚えることなく快適にできるとともに、運動機能のアップ作用に有効で、しかもテープ剥離や外観低下を抑制できるという効果を発揮する。
【図面の簡単な説明】
【００１０】
【図１】第１実施形態のテーピングテープを示す正面図。
【図２】図１の２−２線における部分拡大断面図。
【図３】図１のテーピングテープの使用状態を示す要部斜視図。
【図４】同テーピングテープの別の使用状態を示す要部背面図。
【図５】図３及び図４のテーピングテープの使用状態における部分拡大正面図。
【図６】第２実施形態のテーピングテープを示す正面図。
【図７】実施形態のテーピングテープの変更例を示す正面図。
【図８】テーピングテープの別の変更例を示す正面図。
【図９】テーピングテープのさらに別の変更例を示す正面図。
【図１０】テーピングテープのさらに別の変更例を示す正面図。
【発明を実施するための形態】
【００１１】
（第１実施形態）
以下に、テーピングテープの第１実施形態を図１〜図４に従って説明する。
図１及び図２に示すように、この第１実施形態のテーピングテープ２１は、所定幅で所定長さの帯体２２によって構成されている。この帯体２２は、伸縮可能な合成樹脂繊維糸あるいは天然繊維糸よりなる経糸及び緯糸を織成して構成され、全体として直線状をなすように形成されている。帯体２２の裏面には、粘着剤２３が塗布されている。この粘着剤２３としては、身体の皮膚に刺激を与えないものが好ましい。また、粘着剤２３には、筋肉の疲労を回復する成分を含んだものや、筋肉の張りを防止する成分を含んだものを用いてもよい。また、粘着剤２３や帯体２２は、爽快感を与える香料を含んでいてもよい。
【００１２】
図２に示すように、粘着剤２３の表面には、保護紙２４が易剥離可能に貼付されている。
図１に示すように、前記帯体２２の両側縁を含む縁部には、円形状の凸部２５と凹部２６とが交互に連続して形成されている。この実施形態においては、６個の凸部２５が連続し、その凸部２５の曲率半径２５１は、凹部２６の曲率半径２６１よりも大きくなるように形成されている。従って、この円形状の凸部２５及び凹部２６により、帯体２２の両側縁は角部が存在しない連続した波形状をなすように形成されている。また、帯体２２の両端部においては、両側縁の凸部２５が繋がって円形をなすように形成されている。
【００１３】
図１に示すように、凸部２５と凹部２６との間には線が交差したコーナが形成されないように、凹部２６が凸部２５に接線上において外接するとともに、目視はできないが、凸部２５を形成する真円１００が隣接する他の真円１００に対して外接している。各部の寸法は、例えば、凸部２５の半径２５１が１８〜２８ｍｍで，凹部２６は半径２６１が５〜１５ｍｍの真円である。なお、図示はしないが、帯体２２の表面には、装飾やロゴマーク等の印刷が施されている。
【００１４】
次に、前記のように構成されたテーピングテープの作用を説明する。
このテーピングテープ２１を使用する場合には、粘着剤２３の表面から保護紙２４を剥離した状態で、その粘着剤２３により帯体２２を身体の膝や腰等の部位に貼着する。この場合、帯体２２は直線状を維持したまま貼着されるだけではなく、図３及び図４に示すように、テーピングテープ２１を複数枚使用して、膝や腰等の部位においては同部位の曲面等に沿ったり、所要部分を包囲したりするように、必要に応じて湾曲形状に貼着される。なお、図３は、下肢１１０の膝１１１部分を示す。図４は、背中１２０の腰椎１２１部分を示す。
【００１５】
図５に示すように、テーピングテープ２１を湾曲状態で貼着した場合には、帯体２２の両側縁のうちで、湾曲域の外側の部分の側縁部２２１では各凹部２６が拡げられるとともに、凸部２５が伸長方向に変形しやすく、湾曲域の内側の部分の側縁部２２２では各凹部２６が狭められる。このため、湾曲の外側の部分の側縁部２２１に引きつりが生じたり、内側の部分の側縁部２２２に皺が生じたりする可能性を低下できる。
【００１６】
また、このテーピングテープ２１においては、帯体２２の両側縁が円形状の凸部２５及び凹部２６の形成により、角部が存在しない連続したほぼ波形状をなすように形成されている。それとともに、帯体２２の両端部が、両側縁の凸部２５を繋いだ円形状をなすように形成されている。このため、身体に対するテープ２１の貼着状態において、皮膚に対するテープ２１のなじみが良好になって、違和感が少なくなるとともに、テープ２１の両側縁や両端部に角部が存在する場合とは異なり、テープ２１が角部から剥離するようなおそれを防止できる。
【００１７】
さらに、テープ２１が適切に伸縮して身体の皮膚に同皮膚の引きつりや弛みを生じることなく貼着されていることで、皮膚やその下部の表層筋膜の動きに柔軟に対応できる。従って、その表層筋膜の下の筋肉が動きやすくなるとともに、血行が促進される。このため、身体の運動に対して好影響が与えられる。しかも、皮膚にテーピングが施されていると、人間は無意識にそのテーピング部分の筋肉を適切に動かして保護する傾向にあるため、故障を防ぐ作用もある。しかも、テーピングテープ２１においては、粘着剤２３として身体の皮膚に刺激を与えないものであって、筋肉の疲労を回復する成分を含んだもの等が使用されていれば、身体への貼着状態において、皮膚にかぶれ等の症状が現れるおそれを防止できるとともに、筋肉疲労の回復効果を得ることができる。
【００１８】
従って、この実施形態によれば、以下のような効果を得ることができる。
（１）  このテーピングテープにおいては、両側縁にほぼ円形状の凸部２５と凹部２６とを交互に連続して形成してなる帯体２２によって構成されている。このため、このテーピングテープ２１を身体の膝や腰等の凹凸部位や屈曲部位に対して無理なく湾曲させて貼着できる。そして、この場合、その湾曲部の外側の部分では各凹部２６が拡げられるとともに、凸部２５が伸長方向等に無理なく変形し、しかも内側の部分では各凹部２６が狭められる。このため、湾曲部の外側の部分で引きつりが生じたり、内側の部分で皺が生じたりするのを抑制することができて、テープ２１を身体に対して剥離することなく適切に貼着することができる。このため、身体に対するテープ２１の貼着状態において、違和感が少なくなるとともに、筋肉が動きやすくなり、しかも、血行が促進される。このため、使用者の運動を好適に補助できて、有効な運動機能のアップ作用を得ることができるとともに、故障を防ぐことができる。
【００１９】
また、このテーピングテープにおいては、皮膚に対するテープ２１のなじみが良好になって、テープ２１の側縁部からの剥離を効果的に抑制することができるとともに、皺の発生を防止できて、使用状態のテープ２１の外観を向上できる。
【００２０】
（２）  このテーピングテープにおいては、前記凸部２５の曲率半径２５１が凹部２６の曲率半径２６１より大きくなるように形成されている。このため、曲率半径２５１が大きい凸部２５と対応する部分において、テープを身体の皮膚に対して広い接合面積で安定に貼着することができる。
【００２１】
（３）  このテーピングテープにおいては、前記帯体２２が全体として直線状をなすように形成されている。このため、テープ２１を身体に対して直線状に伸長させた状態に無理なく貼着することができる。
【００２２】
（第２実施形態）
次に、テーピングテープの第２実施形態を前記第１実施形態と異なる部分を中心に説明する。
【００２３】
この第２実施形態においては、図６に示すように、直線状をなす一対の帯体２２が平行に延びるように並設されるとともに、それらの一端部における３箇所の凸部２５の部分おいて一体に連結されて、全体として二股状をなすように形成されている。
【００２４】
従って、この第２実施形態によれば、前記第１実施形態における（１）〜（３）に記載の効果に加えて、以下のような効果を得ることができる。
（４）  このテーピングテープにおいては、帯体２２が一体に並設されている。このため、複数枚のテーピングテープを要することなく、１枚のテーピングテープ２１を用いることにより、実質的に複数枚のテープを身体の広い面積の部分を覆うようにテーピングを施すことになる。
【００２５】
（５）  しかも、帯体２２が二股状に形成されている。このため、複数枚のテーピングテープを要することなく、１枚のテーピングテープ２１を用いて、身体の離間した２箇所の部分にテーピングを施すことができる。
【００２６】
（変更例）
なお、前記実施形態は、次のように変更して具体化することも可能である。
・  前記第２実施形態において、３条以上の帯体２２を同第２実施形態と同様に並設状態で一端部において一体に連結して、多股状に形成すること。
【００２７】
・  前記第２実施形態及び変更例において、並設された複数の帯体２２を１箇所，２箇所または４箇所等、３箇所以外の凸部２５の部分において一体化して、二股状あるいは多股状に形成すること。
【００２８】
・  図７に示すように、帯体２２を環状に一体形成し、中央部に孔が形成されるようにすること。この場合、凸部２５及び凹部２６の数は４以上であることが好ましい。このように構成すれば、膝や肘、あるいは肩先等の頂部を有する人体部分に貼着する場合に適し、前記孔が前記頂部に位置するようにするとよい。
【００２９】
・  図８に示すように、帯体２２を所要の曲率の湾曲状に一体形成すること。このように構成すれば、人体の湾曲部に貼着する場合に適する。
・  図９に示すように、帯体２２を屈曲状に一体形成すること。このように構成すれば、肘や膝等の人体の屈曲部に貼着する場合に適する。
【００３０】
・  図１０に示すように、帯体２２を放射形状に一体形成すること。このように構成すれば、人体の腹部や背中等の広い面積部分に貼着する場合に適する。
・  前記第１実施形態，第２実施形態，図７〜図１０に示す各変更例において、帯体２２の両側縁に形成される凸部２５の数を２以上６未満あるいは７以上に変更すること。帯体２２の両側縁の凸部２５がそれぞれ２箇所の場合、凹部２６は帯体２２の両側縁にそれぞれ１箇所ずつ形成される。
【００３１】
・  図９に示す変更例において、帯体２２の屈曲角度を鋭角状、鈍角状等の任意の角度に変更すること。
・  図１０に示す変更例において、帯体２２をＹ字状等の異なった放射形状となるように形成すること。
【００３２】
・  前記各実施形態及び変更例において、凸部２５や凹部２６を真円ではなく、楕円形状あるいは真円及び楕円以外の湾曲形状にすること。
・  前記各実施形態及び変更例において、凸部２５や凹部２６を隣接する凸部２５や凹部２６の外形と交差する形状に形成すること。
【００３３】
（別の技術的思想）
さらに、上記実施形態により把握される技術的思想について、以下にそれらの効果とともに記載する。
【００３４】
（Ａ）一対の帯体を一体に並設したことを特徴とする請求項１〜３のうちのいずれか一項に記載のテーピングテープ。
この構成によれば、複数枚のテーピングテープを用いることなく、１枚のテーピングテープによりテーピングを施すことができる。
【００３５】
（Ｂ）  帯体を二股状に形成したことを特徴とする請求項１または２に記載のテーピングテープ。
この構成によれば、複数枚のテーピングテープを用いることなく、１枚のテーピングテープにより身体の複数箇所に対してテーピングを施すことができる。
【００３６】
（Ｃ）  帯体を環状に形成したことを特徴とする請求項１または２に記載のテーピングテープ。
この構成によれば、１枚のテーピングテープにより、そのテープを湾曲させることなく、身体の膝等の部位に対して環状にテーピングを施すことができる。
【００３７】
（Ｄ）  帯体を湾曲状に形成したことを特徴とする請求項１または２に記載のテーピングテープ。
この構成によれば、１枚のテーピングテープにより、そのテープを湾曲させることなく、身体に対して湾曲状にテーピングを施すことができる。
【００３８】
（Ｅ）  帯体を屈曲状に形成したことを特徴とする請求項１または２に記載のテーピングテープ。
この構成によれば、複数枚のテーピングテープを用いることなく、１枚のテーピングテープにより身体に対して屈曲状にテーピングを施すことができる。
【００３９】
（Ｆ）帯体を放射形状に形成したことを特徴とする請求項１または２に記載のテーピングテープ。
この構成によれば、複数枚のテーピングテープを用いることなく、１枚のテーピングテープにより身体の広い面積の部分に対してテーピングを施すことができる。
【符号の説明】
【００４０】
２１…テーピングテープ、２２…帯体、２３…粘着剤、２５…凸部、２５１…曲率半径、２６…凹部、２６１…曲率半径。
【図１】
2014068844.tif 000003
【図２】
2014068844.tif 000004
【図３】
2014068844.tif 000005
【図４】
2014068844.tif 000006
【図５】
2014068844.tif 000007
【図６】
2014068844.tif 000008
【図７】
2014068844.tif 000009
【図８】
2014068844.tif 000010
【図９】
2014068844.tif 000011
【図１０】
2014068844.tif 000012